(57)【要約】      （修正有）【課題】安全・確実且つ迅速に作業効率を高め、さらに労働の省力化をはかることを実現した農業用や園芸用のパイプビニールハウス設営におけるバンド掛け案内誘導器を提供する。【解決手段】パイプビニールハウス設営におけるバンド掛け案内誘導器は、合成樹脂を主体とする、中央に開口を有する三角形枠状のハンドグリップ１を形成し、該ハンドグリップ１の底辺側の適宜位置に凹状切欠き段部溝２を設ける。前記凹状切欠き段部溝２を被覆嵌合する下方開口の係合部３を有するストッパー係止装置４を前記ハンドグリップ１の底辺部に開閉自在となるように枢軸し、前記ストッパー係止装置４の枢軸側にはストッパー係止装置４を指で上下回動することが可能な蝶ナット状の立体形状体５を一体に形成する。【選択図】図１
0003117680.tif 000002
【実用新案登録請求の範囲】
【請求項１】
合成樹脂を主体する三角形枠状のハンドグリップを形成し、該ハンドグリップの底辺側の適宜位置に凹状切欠き段部溝を設け、該凹状切欠き段部溝を被覆嵌合する下方開口のストッパー係止装置を前記ハンドグリップの底辺側に開閉自在となるように枢軸し、前記ストッパー係止装置の枢軸側にはストッパー係止装置を指で上下回動することが可能な立体形状体を形成し、前記凹状切欠き段部溝へ締結バンド先端を挿入し前記ストッパー係止装置を下ろすことにより前記ストッパー係止装置で締結バンド先端を前記ハンドグリップに挟持固定することを特徴とするパイプビニールハウス設営におけるバンド掛け案内誘導器。
【請求項２】
前記ハンドグリップの頭頂部と右側面端下部に貫通孔を設け、パイプビニールハウスの外周胴長より幾分余裕をもった適宜な長さの２本の紐をそれぞれの貫通孔に通し且つ先端を結ぶことにより、一回毎のバンド掛け作業終了後に相手側作業者への確認の合図により前記ハンドグリップに結び付けられた一方の紐を引くことによりビニールハウス外周胴に沿って前記ハンドグリップを案内誘導することを特徴とする請求項１記載のパイプビニールハウス設営におけるバンド掛け案内誘導器。
【考案の詳細な説明】
【技術分野】
【０００１】
本考案は、農業用や園芸用のパイプビニールハウス設営におけるバンド掛け案内誘導器に関する。
【背景技術】
【０００２】
従来、農業用や園芸用のパイプビニールハウス設営時のバンド掛け作業は、相対で交互に締結バンドの端に程度な錘となる運動靴等を結びビニールハウスの外周胴に触れないように反体側（相手側）へ一回毎に渾身の力を振り絞って投げなくてはならず、女性や年配者そして体力に自信がない者には重労働であった（特許文献１を参照）。
このように、パイプビニールハウス設営におけるバンド掛け作業は重労働且つ相手側が半透明なビニールな為、視界が悪く締結バンドの端に結ばれた錘（運動靴等）を投げた際にコントロールが悪いと予想もしない方向から飛来するケースもあり、相手側の作業者の頭部や目を負傷させたりする不慮の事故が多々発生しているという極めて危険が伴うことが欠点である。
加えて、設営後の仕上がりが不安定且つ締め付けが不十分である為、締結バンドが捩れた状態で掛けられた場合、暴風雨には弱くビニールの剥離から始まり、ビニールハウス本体もろとも倒壊してしまい耐久年数が短かった。
なお、締結バンドの張設時にねじれを矯正するものとして、バンド案内穴に横設したバンド案内棒に締結バンドを蛇行させて通すものが公知となっている（特許文献２を参照）。
【特許文献１】実開平１−７７３４８号公報
【特許文献２】特開平７−２２７１５０号公報
【考案の開示】
【考案が解決しようとする課題】
【０００３】
本考案は、安全・確実且つ迅速に作業効率を高め、さらに労働の省力化をはかることを実現した農業用や園芸用のパイプビニールハウス設営におけるバンド掛け案内誘導器を提供することを目的とする。
【課題を解決するための手段】
【０００４】
本考案のパイプビニールハウス設営におけるバンド掛け案内誘導器は、合成樹脂を主体する三角形枠状のハンドグリップを形成し、該ハンドグリップの底辺側の適宜位置に凹状切欠き段部溝を設け、該凹状切欠き段部溝を被覆嵌合する下方開口のストッパー係止装置を前記ハンドグリップの底辺側に開閉自在となるように枢軸し、前記ストッパー係止装置の枢軸側にはストッパー係止装置を指で上下開閉することが可能な立体形状体を形成し、前記凹状切欠き段部溝へ締結バンドを挿入し前記ストッパー係止装置を下ろすことにより前記ストッパー係止装置で締結バンドを前記ハンドグリップに挟持固定するものである。
さらに、前記ハンドグリップの頭頂部と右側面端下部に貫通孔を設け、パイプビニールハウスの外周胴長より幾分余裕をもった適宜な長さの２本の紐をそれぞれの貫通孔に通し且つ先端を結ぶことにより、一回毎のバンド掛け作業終了後に相手側作業者への確認の合図により前記ハンドグリップに結び付けられた一方の紐を引くことによりビニールハウス外周胴に沿って前記ハンドグリップを案内誘導するものである。
【考案の効果】
【０００５】
本考案のパイプビニールハウス設営におけるバンド掛け案内誘導器は、パイプビニールハウスの外周胴を締め付け固定する締結バンドが固定可能な機能を具備し、バンド掛け誘導動作を案内するハンドグリップと貫通孔に適宜な長さの紐を通し且つ先端を結びビニールハウスの外周胴を滑らすという構成を形成することで、安全・確実且つ迅速に作業効率を高め、さらに労働の省力化をはかることを実現し、加えてバンドの耐久年数の延伸は勿論のことパイプビニールハウス周辺のパーツの耐久年数もそれだけ延びて長期間使用できることになるものである。
本考案のパイプビニールハウス設営におけるバンド掛け案内誘導器は、一回毎のバンド掛け作業終了後に相手側作業者への確認の合図により前記ハンドグリップに結び付けられた一方の紐を引くことによりビニールハウス外周胴に沿って前記ハンドグリップを安全・確実且つ迅速に案内誘導することができるものである。
【考案を実施するための最良の形態】
【０００６】
本考案のパイプビニールハウス設営におけるバンド掛け案内誘導器の一実施例を図面に基づいて、以下に説明する。
図１に示すように、本考案のパイプビニールハウス設営におけるバンド掛け案内誘導器は、合成樹脂を主体とする、中央に開口を有する三角形枠状のハンドグリップ１を形成し、該ハンドグリップ１の底辺側の適宜位置に凹状切欠き段部溝２を設ける。
前記凹状切欠き段部溝２を被覆嵌合する下方開口の係合部３を有するストッパー係止装置４を前記ハンドグリップ１の底辺部に開閉自在となるように枢軸し、前記ストッパー係止装置４の枢軸側にはストッパー係止装置４を指で上下回動することが可能な蝶ナット状の立体形状体５を一体に形成する。
前記ハンドグリップ１の頭頂部と右側面端下部に貫通孔６を設け、パイプビニールハウスの外周胴長より幾分余裕をもった適宜な長さの２本の紐７をそれぞれの貫通孔６に通し且つ先端を結ぶ。
前記ストッパー係止装置４は、図１及び図１のＡ−Ａ断面図である図２に示すように、先端に前記凹状切欠き段部溝２を被覆嵌合する下方開口の係合部３を設けると共に該係合部３の正面側にはストッパー係止装置４を指の嵌合で簡単に上下回動することが可能な彎曲凹板８を取付け、さらに前記ストッパー係止装置４の枢軸側にはストッパー係止装置４を指で上下回動することが可能な蝶ナット状の立体形状体５を一体に形成する。
なお、図１に示すように前記ハンドグリップ１の左側面に指の把握が容易となるように指掛け凹凸部９を形成し、前記ストッパー係止装置４の上下回動操作時に前記指掛け凹凸部９を硬く握ることができるようにする。
【０００７】
次に、本考案のパイプビニールハウス設営におけるバンド掛け案内誘導器の使用動作を図面に基づいて、以下に説明する。
図４に示すように、パイプビニールハウス１１を挟んでそれぞれ作業者が配置され、一方側の作業者がバンド掛け案内誘導器のハンドグリップ１の指掛け凹凸部９を片手で保持する。
そして、一方側の作業者は前記ハンドグリップ１のストッパー係止装置４の立体形状体５又は彎曲凹板８を指で押し上げ、前記ハンドグリップ１の凹状切欠き段部溝２から前記ストッパー係止装置４の係合部３を開放し、パイプビニールハウス１１の外周胴を締め付け固定する締結バンド１０の先端部を前記凹状切欠き段部溝２に嵌合する。
前記締結バンド１０の先端部を前記凹状切欠き段部溝２に嵌合したら、前記ストッパー係止装置４を指で押し下げ、図３に示すように前記係合部３により前記締結バンド１０を折り曲げながら前記ストッパー係止装置４で締結バンド１０を前記ハンドグリップ１に挟持固定するものである。
そして、前記ハンドグリップ１の頭頂部側の貫通孔６に結ばれた紐７の端に適度な錘となる運動靴等を結びパイプビニールハウス１１の外周胴に触れないように反対側の作業者へ投げ、頭頂部側の紐７を反対側の作業者へ渡す。
【０００８】
反対側の作業者は、一方側の作業者への受取確認の合図により前記ハンドグリップ１の頭頂部側に結び付けられた紐７を引く。
一方側の作業者は、締結バンド１０を適度の張力を保ちながら前記締結バンド１０を繰り出しつつ、反対側の作業者も同様に紐７を適度の張力を保ちながら前記紐７を引張る。
図４に示すように、前記締結バンド１０は前記ハンドグリップ１に案内誘導されながらパイプビニールハウス１１のフレーム間のビニールシートをへこませながら外周胴に沿って案内される。
反対側の作業者は、前記ハンドグリップ１の指掛け凹凸部９を片手で保持し、前記ハンドグリップ１のストッパー係止装置４の立体形状体５又は彎曲凹板８を指で押し上げ、前記ハンドグリップ１の凹状切欠き段部溝２から前記ストッパー係止装置４の係合部３を開放し、前記締結バンド１０を取外し、そして、パイプビニールハウス１１に前記締結バンド１０を締結する。
その後、一方側の作業者は、反対側の作業者への締結確認の合図により前記ハンドグリップ１の右側面端下部に結び付けられた紐７を引き、締結バンド１０が取外された空の前記ハンドグリップ１を反対側へ戻す。
このように、一回毎のバンド掛け作業終了後に相手側作業者への確認の合図により前記ハンドグリップ１に結び付けられた紐７を交互に引くことによりパイプビニールハウス１１の外周胴に沿って前記ハンドグリップ１を案内誘導することができるものである。
【図面の簡単な説明】
【０００９】
【図１】本考案のパイプビニールハウス設営におけるバンド掛け案内誘導器の全体斜視図である。
【図２】図１のＡ−Ａ断面図である。
【図３】締結バンドとの係合を示す断面図である。
【図４】本考案のパイプビニールハウス設営におけるバンド掛け案内誘導器の使用状態を示す説明図である。
【符号の説明】
【００１０】
１  ハンドグリップ
２  凹状切欠き段部溝
３  係合部
４  ストッパー係止装置
５  立体形状体
６  貫通孔
７  紐
８  彎曲凹板
９  指掛け凹凸部
１０  締結バンド
１１  パイプビニールハウス
【図１】
0003117680.tif 000003
【図２】
0003117680.tif 000004
【図３】
0003117680.tif 000005
【図４】
0003117680.tif 000006